【手続補正書】
【提出日】平成15年4月22日(2003.4.22)
【手続補正１】
【補正対象書類名】明細書
【補正対象項目名】特許請求の範囲
【補正方法】変更
【補正の内容】
【特許請求の範囲】
【請求項１】
ネットワーク化された印刷システムであって、
表面に形成される１つ以上のアイコンに対応し且つこれに関連付けられるアクセス情報をプログラムされたメモリ装置を有する少なくとも１枚のスマートカードと、
コンピュータネットワークに結合されるリーダ装置であって、前記スマートカードは前記リーダ装置と共に配置可能であり、前記メモリ装置の読取りによって前記アイコンに重なる前記リーダ装置のタッチパネルを指示するユーザにより選択される前記アイコンのうちの１つと前記アクセス情報とを関連付けできるようにしたリーダ装置と、
前記ネットワークに結合されたプリンタ装置と、
前記ネットワークに結合され、前記１つのアイコンの選択に応じて前記リーダ装置から前記アクセス情報を受信するように構成され、前記プリンタで印刷して前記ユーザが取り出せるようにするために受信に応じて電子文書を転送する販売者サーバと、
前記ネットワークに結合され、前記電子文書の前記プリンタへの転送を監視すると共に前記ネットワークの少なくとも１人のユーザに前記印刷に関連する費用に対する請求書を送付するように構成されるトランザクション警告サーバとを具備するシステム。
【請求項２】
前記メモリ装置は前記ユーザに関するＩＤ情報を更に含み、前記印刷に関連する費用に対する請求書を前記ユーザに送付できるように前記ＩＤ情報は前記アクセス情報と共に前記販売者サーバに送信される請求項１記載のシステム。
【請求項３】
前記リーダ装置は前記プリンタのネットワークアドレスを前記販売者サーバに更に送信し、それにより、前記販売者サーバは前記ネットワークアドレスを使用して前記電子文書を前記プリンタへと転送できるようになる請求項１記載のシステム。
【請求項４】
前記リーダ装置及び前記プリンタが一体的に形成される請求項１記載のシステム。
【請求項５】
前記１人のユーザは、前記販売者サーバ、前記ユーザ、及び前記プリンタ及び前記リーダ装置が関連付けられるローカルサーバより成る群から選択される請求項４記載のシステム。
【請求項６】
表面に形成される１つ以上のアイコンに対応し且つこれに関連付けられるアクセス情報をプログラムされたメモリ装置を有する少なくとも１枚のスマートカードに基づいてコンピュータネットワークから供給される文書を再製する方法であって、前記スマートカードが前記ネットワークに結合されるリーダ装置と共に配置可能であり、前記メモリ装置の読取りによって前記アイコンに重なる前記リーダ装置のタッチパネルを指示するユーザにより選択される前記アイコンのうちの１つと前記アクセス情報とを関連付けできるようにする方法であって、
前記１つのアイコンの選択に応じて前記リーダ装置から前記ネットワークに結合された販売者サーバに前記アクセス情報を送信する工程と、
前記ネットワークに結合されるプリンタで印刷して前記ユーザが取り出せるようにするために前記販売者サーバから前記プリンタへと電子文書を転送する工程とを有する方法。
【請求項７】
前記メモリ装置は前記ユーザに関するＩＤ情報を更に含み、前記印刷に関連する費用に対する請求書を前記ユーザに送付できるように前記ＩＤ情報は前記アクセス情報と共に前記販売者サーバに送信される請求項６記載の方法。
【請求項８】
前記リーダ装置は前記プリンタのネットワークアドレスを前記販売者サーバに更に送信し、それにより、前記販売者サーバは前記ネットワークアドレスを使用して前記電子文書を前記プリンタへと転送できるようになる請求項６記載の方法。
【請求項９】
前記リーダ装置及び前記プリンタが一体的に形成される請求項６記載の方法。
【請求項１０】
前記電子文書の前記プリンタへの転送を監視する工程と、
前記ネットワークの少なくとも１人のユーザに前記印刷に関連する費用に対する請求書を送付する工程とを更に含む請求項６記載の方法。
【請求項１１】
前記監視及び前記請求書送付は、前記ネットワークに結合されるトランザクション警告サービスにより実行される請求項１０記載の方法。
【請求項１２】
前記１人のユーザは、前記販売者サーバ、前記ユーザ、及び前記プリンタ及び前記リーダ装置が関連付けられるローカルサーバより成る群から選択される請求項１１記載の方法。
【請求項１３】
表面に形成される１つ以上のアイコンに対応し且つこれに関連付けられるアクセス情報をプログラムされたメモリ装置を有する少なくとも１枚のスマートカードに基づいて、コンピュータネットワークに結合される販売者サーバを使用して商品及びサービスの両方あるいはいずれか一方を獲得する方法であって、前記スマートカードが前記ネットワークに結合されるリーダ装置と共に配置可能であり、前記メモリ装置の読取りによって前記アイコンに重なる前記リーダ装置のタッチパネルを指示するユーザにより選択される前記アイコンのうちの１つと前記アクセス情報とを関連付けできるようにする方法であって、
前記１つのアイコンの選択に応じて前記リーダ装置から前記販売者サーバに前記アクセス情報を送信する工程と、
前記アクセス情報に従って前記ユーザが取り出せるようにするために前記販売者サーバを利用して前記商品及びの両方あるいはいずれか一方サービスを提供する工程と、
前記アクセス情報の前記販売者サーバへの前記送信を監視する工程と、
前記ネットワークの少なくとも１人のユーザに前記商品及びサービスの両方あるいはいずれか一方の提供に関連する費用に対する請求書を送付する工程とを有する方法。
【請求項１４】
前記メモリ装置は前記ユーザに関するＩＤ情報を更に含み、前記商品及びサービスの両方あるいはいずれか一方の提供に関連する費用に対する請求書を前記ユーザに送付できるように前記ＩＤ情報は前記アクセス情報と共に前記販売者サーバに送信される請求項１３記載の方法。
【請求項１５】
前記リーダ装置は前記リーダ装置のネットワークアドレスを前記販売者サーバに更に送信し、それにより、前記販売者サーバは前記ネットワークアドレスを使用して前記商品及びサービスの両方あるいはいずれか一方を前記ユーザに転送できるようになる請求項１３記載の方法。
【請求項１６】
前記リーダ装置及び前記プリンタが一体的に形成される請求項１３記載の方法。
【請求項１７】
前記監視及び前記請求書送付は、前記ネットワークに結合されるトランザクション警告サービスにより実行される請求項１３記載の方法。
【請求項１８】
前記１人のユーザは、前記販売者サーバ、前記ユーザ、及び前記リーダ装置が関連付けられるローカルサーバより成る群から選択される請求項１３記載の方法。
【請求項１９】
前記商品及びサービスの両方あるいはいずれか一方は、ピザサービス、マッサージサービス、及び印刷サービスより成る群から選択される請求項１３記載の方法。
【請求項２０】
商品及びサービスの両方あるいはいずれか一方を提供するネットワークシステムであって、
表面に形成される１つ以上のアイコンに対応し且つこれに関連付けられるアクセス情報をプログラムされたメモリ装置を有する少なくとも１枚のスマートカードと、
コンピュータネットワークに結合されるリーダ装置であって、前記スマートカードは前記リーダ装置と共に配置可能であり、前記メモリ装置の読取りによって前記アイコンに重なる前記リーダ装置のタッチパネルを指示する前記ユーザにより選択される前記アイコンのうちの１つと前記アクセス情報とを関連付けできるようにしたリーダ装置と、
前記ネットワークに結合され、前記１つのアイコンの選択に応じて前記リーダ装置から前記アクセス情報を受信するように構成され、前記ユーザが取り出せるようにするために受信に応じて前記商品及びサービスの両方あるいはいずれか一方の提供を可能にする販売者サーバと、
前記ネットワークに結合され、前記アクセス情報の前記販売者サーバへの転送を監視すると共に前記ネットワークの少なくとも１人のユーザに前記商品及びサービスの両方あるいはいずれか一方に関連する費用に対する請求書を送付するように構成されるトランザクション監視サーバとを具備するシステム。
【請求項２１】
前記メモリ装置は前記ユーザに関するＩＤ情報を更に含み、前記印刷に関連する費用に対する請求書を前記ユーザに送付できるように前記ＩＤ情報は前記アクセス情報と共に前記販売者サーバに送信される請求項２０記載のシステム。
【請求項２２】
前記リーダ装置は前記リーダ装置のネットワークアドレスを前記販売者サーバに更に送信し、それにより、前記販売者サーバは前記ネットワークアドレスを使用して前記商品及びサービスの両方あるいはいずれか一方を前記ユーザへと転送できるようになる請求項２０記載のシステム。
【請求項２３】
前記リーダ装置及び前記プリンタが一体的に形成される請求項２０記載のシステム。
【請求項２４】
前記１人のユーザは、前記販売者サーバ、前記ユーザ、及び前記リーダ装置が関連付けられるローカルサーバより成る群から選択される請求項２０記載のシステム。
【請求項２５】
表面に形成される１つ以上のアイコンに対応し且つこれに関連付けられるアクセス情報をプログラムされたメモリ装置を有する少なくとも１枚のスマートカードに基づいて、商品及びサービスの両方あるいはいずれか一方を供給する販売者サーバであって、前記スマートカードがリーダ装置と共に配置可能であり、前記リーダ装置は前記ネットワークに結合されて前記メモリ装置の読取りによって前記アイコンに重なる前記リーダ装置のタッチパネルを指示するユーザにより選択される前記アイコンのうちの１つと前記アクセス情報とを関連付けできるようにした販売者サーバであって、
前記ネットワークと接続するための接続手段と、
前記１つのアイコンの選択に応じて前記リーダ装置から送信される前記アクセス情報を受信する受信手段と、
前記ユーザが取り出せるようにするために前記商品及びサービスの両方あるいはいずれか一方を転送する転送手段とを具備する販売者サーバ。
【請求項２６】
前記販売者サーバは更なる情報を前記ネットワークに結合されるトランザクション警告サーバへと転送するように更に構成され、前記トランザクション警告サーバは前記アクセス情報の前記販売者サーバへの転送を監視すると共に前記ネットワークの少なくとも１人のユーザに前記商品及びサービスの両方あるいはいずれか一方に関連する費用に対する請求書を送付するように構成される請求項２５記載の販売者サーバ。
【請求項２７】
表面に形成される１つ以上のアイコンに対応し且つこれに関連付けられるアクセス情報をプログラムされたメモリ装置を有する少なくとも１枚のスマートカードに基づいて、コンピュータネットワーク上でトランザクションを監視するトランザクション監視サーバであって、前記スマートカードが前記ネットワークに結合されるリーダ装置と共に配置可能であり、前記メモリ装置の読取りによって前記アイコンに重なる前記リーダ装置のタッチパネルを指示するユーザにより選択される前記アイコンのうちの１つと前記アクセス情報とを関連付けできるようにしたトランザクション監視サーバであって、
前記ネットワークと接続するための接続手段と、
前記１つのアイコンの選択に応じて前記リーダ装置から送信される前記アクセス情報の転送を監視する監視手段と、
前記ネットワークの少なくとも１人のユーザに前記アクセス情報の前記転送に関連する費用に対する請求書を送付する請求書送付手段とを備えるトランザクション監視サーバ。
【請求項２８】
表面に形成される１つ以上のアイコンに対応し且つこれに関連付けられるアクセス情報をプログラムされたメモリ装置を有する少なくとも１枚のスマートカードに基づいて、コンピュータネットワークから供給される文書を生成するプログラムであって、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにするプログラムであって、
前記１つのアイコンの選択に応じて前記リーダ装置から前記販売者サーバに前記アクセス情報を送信するためのコードと、
前記ネットワークに結合されるプリンタで印刷して前記ユーザが取り出せるようにするために前記販売者サーバから前記ネットワークに結合されるプリンタへと電子文書を転送するためのコードとを具備するプログラム。
【請求項２９】
メモリ媒体に格納され、装置内に構成されるプロセッサにより実行される請求項２８記載のプログラム。
【請求項３０】
表面に形成される１つ以上のアイコンに対応し且つこれに関連付けられるアクセス情報をプログラムされたメモリ装置を有する少なくとも１枚のスマートカードに基づいて、商品及びサービスの両方あるいはいずれか一方を獲得するプログラムであって、前記スマートカードが前記コンピュータネットワークに結合されるリーダ装置と共に配置可能であり、前記メモリ装置の読取りによって前記アイコンに重なる前記リーダ装置のタッチパネルを指示するユーザにより選択される前記アイコンのうちの１つと前記アクセス情報とを関連付けできるようにするプログラムであって、
前記１つのアイコンの選択に応じて前記リーダ装置から前記販売者サーバに前記アクセス情報を送信するためのコードと、
前記アクセス情報に従って前記ユーザが取り出せるようにするために前記販売者サーバを利用して前記商品及びサービスの両方あるいはいずれか一方を提供するためのコードと、
前記アクセス情報の前記販売者サーバへの前記送信を監視するためのコードと、
前記ネットワークの少なくとも１人のユーザに前記商品及びサービスの両方あるいはいずれか一方の提供に関連する費用に対する請求書を送付するためのコードとを具備するプログラム。
【請求項３１】
メモリ媒体に格納され、装置内に構成されるプロセッサにより実行される請求項３０記載のプログラム。
【請求項３２】
プログラムを記録したコンピュータ可読な媒体であって、表面に形成される１つ以上のアイコンに対応し且つこれに関連付けられるアクセス情報をプログラムされたメモリ装置を有する少なくとも１枚のスマートカードに基づいて、前記プログラムがコンピュータネットワークから供給される文書を生成する手順をコンピュータに実行させるように構成され、前記スマートカードが前記ネットワークに結合されるリーダ装置と共に配置可能であり、前記メモリ装置の読取りによって前記アイコンに重なる前記リーダ装置のタッチパネルを押下するユーザにより選択される前記アイコンのうちの１つと前記アクセス情報とを関連付けできるようにするコンピュータ可読な媒体であって、前記プログラムは、
前記１つのアイコンの選択に応じて前記リーダ装置から前記販売者サーバに前記アクセス情報を送信するためのコードと、
前記ネットワークに結合されるプリンタで印刷して前記ユーザが取り出せるようにするために前記販売者サーバから前記ネットワークに結合されるプリンタへと電子文書を転送するためのコードとを具備するコンピュータ可読な媒体。
【請求項３３】
プログラムを記録したコンピュータ可読な媒体であって、表面に形成される１つ以上のアイコンに対応し且つこれに関連付けられるアクセス情報をプログラムされたメモリ装置を有する少なくとも１枚のスマートカードに基づいて、前記プログラムはコンピュータネットワークに結合される販売者サーバを使用して商品及びサービスの両方あるいはいずれか一方を獲得する手順をコンピュータに実行させるように構成され、前記スマートカードが前記ネットワークに結合されるリーダ装置と共に配置可能であり、前記メモリ装置の読取りによって前記アイコンに重なる前記リーダ装置のタッチパネルを指示するユーザにより選択される前記アイコンのうちの１つと前記アクセス情報とを関連付けできるようにするコンピュータ可読な媒体であって、前記プログラムは、
前記１つのアイコンの選択に応じて前記リーダ装置から前記販売者サーバに前記アクセス情報を送信するためのコードと、
前記アクセス情報に従って前記ユーザが取り出せるようにするために前記販売者サーバを利用して前記商品及びサービスの両方あるいはいずれか一方を提供するためのコードと、
前記アクセス情報の前記販売者サーバへの前記送信を監視するためのコードと、
前記ネットワークの少なくとも１人のユーザに前記商品及びサービスの両方あるいはいずれか一方の提供に関連する費用に対する請求書を送付するためのコードとを具備するコンピュータ可読な媒体。
【請求項３４】
ネットワーク上でトランザクションを監視する装置であって、
スマートカードを使用してアクセスするスマートカードユーザにサービスを提供するサービスプロバイダから供給されるトランザクション情報を監視するためのプロセッサであって、前記トランザクション情報に基づいて費用を計算するように構成されるプロセッサを具備する装置。
【請求項３５】
前記プロセッサは、前記トランザクション情報及び製造されるスマートカードの量に基づいて前記費用を計算する請求項３４記載の装置。
【請求項３６】
ネットワーク上でトランザクションを監視する装置において実行されるコンピュータ実行可能なプログラムであって、
スマートカードを使用してアクセスするスマートカードユーザにサービスを提供するサービスプロバイダから供給されるトランザクション情報を監視するためのコードと、
前記トランザクション情報に基づいて費用を計算するためのコードとを具備するプログラム。
【請求項３７】
製造されるスマートカードの量及び前記トランザクション情報に基づいて前記費用を計算するためのコードを更に具備する請求項３６記載のプログラム。
【請求項３８】
特定のカードを使用してネットワークを介して要求されるサービスのトランザクションを監視するトランザクション監視装置に使用されるコンピュータ実行可能なプログラムであって、前記特定のカードが前記ネットワークを介して前記サービスを要求するためのアクセス情報を格納するコンピュータ実行可能なプログラムであって、
前記特定のカードを使用して前記ネットワーク上で実行される前記トランザクションを監視するためのコードと、
前記監視されるトランザクション及び発行される前記特定のカードの枚数に基づいて前記サービスのサービスプロバイダに請求すべき請求書データを生成するためのコードとを具備するコンピュータ実行可能なプログラム。